(57)【要約】【課題】既存の消音機では楽器の音程のズレ、吹奏感が変わる、重たい、手が蒸れる等があるがこれらの課題を解決するために本発明は、吹奏感が変わらず、重さが軽く、手が蒸れなく楽器から出る音の極小化と音程の安定性を確保するという二律背反の課題を解決して、一般家庭で音の迷惑をかけることなくいつでも練習が可能にすることを課題とする。【解決手段】本発明は上記課題を達成するために、楽器から発生したアナログの音を楽器内叉は外に設けたマイクで集音して、これを外部コンピューターでデジタルの逆位相周波数分布音へ瞬時に変換処理させたものを楽器内のスピーカーで再生させ、楽器のアナログの正位相周波数分布音とぶつけて重ね合わせることで相殺減衰させ消音させる。【選択図】図４
2005122099.tif 000002
【特許請求の範囲】
【請求項１】
木管楽器のマウスピースとの接合部分管内にマイクとスピーカーを配設して、このマイクで集音した吹奏音の正位相周波数分布音をちょうど反対の逆位相周波数分布音へ瞬時に変換処理させるコンピューターを別に配設し、楽器から発生した生の正位相周波数分布音と前記接合部分に設けたスピーカーからコンピューターで人工的に作り出した逆位相周波数分布音を楽器内でぶつけ重ね合わせる事で双方の音を相殺減衰させ消音する構造にしたことを特徴とする管楽器用消音機。
【請求項２】
木管楽器の外側に振動集音マイクを配設し、マウスピースとの接合部分管内にスピーカーを配設して、このマイクで収音した吹奏音の正位相周波数分布音をちょうど反対の逆位相周波数分布音へ瞬時に変換処理させるコンピューターを別に配設し、楽器から発生した生の正位相周波数分布音と前記接合部分に設けたスピーカーからコンピューターで人工的に作り出した逆位相周波数分布音を楽器内でぶつけ重ね合わせる事で双方の音を相殺減衰させ消音する構造にしたことを特徴とする請求項１記載の管楽器用消音機。
【請求項３】
金管楽器のマウスピースとの接合部分から音の出口のベルまでの管内部分にマイクを配設して、このマイクで集音した吹奏音の正位相周波数分布音をちょうど反対の逆位相周波数分布音へ瞬時に変換処理させるコンピューターを別に配設し、楽器から発生した生の正位相周波数分布音と楽器のベル部分に配設したスピーカーからコンピューターで人工的に作り出した逆位相周波数分布音を楽器内でぶつけ重ね合わせる事で双方の音を相殺減衰させ消音する構造にしたことを特徴とする請求項１記載の管楽器用消音機。
【請求項４】
金管楽器の外側部分に振動集音マイクを配設して、このマイクで集音した吹奏音の正位相周波数分布音をちょうど反対の逆位相周波数分布音へ瞬時に変換処理させるコンピューターを別に配設し、楽器から発生した生の正位相周波数分布音と楽器のベル部分に配設したスピーカーからコンピューターで人工的に作り出した逆位相周波数分布音を楽器内でぶつけ重ね合わせる事で双方の音を相殺減衰させ消音する構造にしたことを特徴とする請求項１記載の管楽器用消音機。
【発明の詳細な説明】
【技術分野】
【０００１】  本発明は管楽器の演奏時に出る音量を小さくする技術に関する。
【背景技術】
【０００２】従来のクラリネットやサキソフォンのベル部分図８の４に消音機を設けても指でキーを押さえる部分図７の５の穴数カ所以降から音がもれているため消音効果は低い。そこで現状では楽器全体を包み込むように防音袋の中に入れて演奏時に両手を差し込み吹奏するが楽器の操作性が悪く夏になれば手が蒸れて指がすべるなど難点がある。【０００３】まわりに迷惑をかけないように防音室に入って練習する方法があるが夏になると蒸し風呂状態になり練習どころではなく冷房が必要であり、設置場所や費用の点で個人の家に設けるのは難しい。【０００４】金管楽器に使用されている既存の消音機は図９の音の出口のベル部分２１に装着して使用する。音量は減少するが装着する前の自然な吹奏感とはちがって楽器の中が詰まったような違和感が生じ不自然な吹奏感になる。この状態で練習しても本来の息の出す量と違うため、あまり練習にならない。又、平均的に消音効果が高い物ほど音程のズレが大きく発生する。そのため例えばトロンボーンでは右手スライドの音程位置が変わる、また消音機を装着して音を出さずにスライドを動かすと、本来楽器から出る音でないポンピングノイズと称してベル部分でシュッと嫌な音が発生する。そして重い消音機を装着して長時間吹奏すると楽器を支える手が疲れる等、これらの難点のため既存の消音機は少しずつ使用回数が減ってくる。
【発明の開示】
【発明が解決しようとする課題】
【０００５】既存の消音機では楽器の音程のズレ、吹奏感が変わる、重たい、手が蒸れる等の難点があるがこれらの課題を解決するために本発明は、吹奏感が変わらず、重さが軽く、手が蒸れなく楽器から出る音の極小化と音程の安定性を確保するという二律背反の課題を解決して一般家庭で音の迷惑をかけることなくいつでも練習が可能にすることを課題とする。
【課題を解決するための手段】
【０００６】本発明は上記課題を達成するために木管楽器のマウスピースとの接合部分図１のクラリネットバレル１８及び図３のサキソフォンネック２０内側の楽器音とスピーカー音双方が出会う音場１９近くにハウリング防止するため、デジタルフィルターを用いた電気的キャンセル回路を付加したマイク２叉はハウリングキャンセル機能が付いた位相差型マイク２と消音のためのスピーカー１を配設して、これと別に前記マイク２で集音した吹奏音の正位相周波数分布音とちょうど反対の逆位相周波数分布音へリアルタイムで変換させる図４のコンピューター６を配設し、この音を前記接合部分に配設したスピーカー１から再生させる。【０００７】第２の課題解決手段は、吹奏時に木管楽器の外側でよく振動している部分にハウリング防止するため、デジタルフィルターを用いた電気的キャンセル回路を付加した壁面振動集音マイクあるいは骨振動集音マイクを配説し、接合部分図１のクラリネットバレル１８及び図３のサキソフォンネック２０内の楽器音とスピーカー音双方が出会う音場１９近くに消音のためのスピーカー１を配設して、これと別に前記振動集音マイク２で収音した吹奏音の正位相周波数分布音とちょうど反対の逆位相周波数分布音へリアルタイムで変換させるコンピューター６を配設し、この音を前記接合部分に配設したスピーカー１から再生させる。【０００８】第３の課題解決手段は、金管楽器のマウスピースとの接合部分から音の出口までの図９のＵ字管１４の部分あるいは図５のスピーカー１にロッドアンテナ２８を付加したハウリング防止するためデジタルフィルターを用いて電気的キャンセル回路を配したマイク２叉はハウリングキャンセル機能が付いた位相差型マイク２を楽器内部へ伸し、前記マイク２で収音した吹奏音の正位相周波数分布音をちょうど反対の逆位相周波数分布音へリアルタイムで変換させるコンピューター６を別に設け、この音を楽器のベル部分２１に配設したスピーカー１から楽器音とスピーカー１の音双方が出会う音場１９へ向かって再生させる。【０００９】第４の課題解決手段は、金管楽器のマウスピースとの接合部分から音の出口までの外側でよく振動している部分にハウリング防止するため、デジタルフィルターを用いた電気的キャンセル回路を付加した壁面振動集音マイクあるいは骨振動集音マイク３を配説し、別に前記マイク２で収音した吹奏音の正位相周波数分布音をちょうど反対の逆位相周波数分布音へリアルタイムで変換させるコンピューター６を配設し、この音を楽器のベル部分２１に配設したスピーカー１から、楽器音とスピーカー１の音双方が出会う音場１９へ向かって再生させる。【００１０】上記第１及び第２の課題解決手段による作用は次の通りである。すなわち楽器を吹奏して出た図１０のアナログの周波数分布音と、コンピューター６でこれとは反対のデジタルで人工的に作った図１１の逆位相周波数分布音を図１２のように、木管楽器とマウスピースとの接合部分図１の１８及び図３の２０内部の１９部分でぶつけ重ね合わせる事で図１３に示すように双方の音が相殺減衰する。したがってこの部分につながって接合しているキー部分図６の５から音が漏れても、すでに上記のように消音されているため静かである。また音の通る楽器内部を塞ぐ構造物は配設していなく、消音時に楽器に息を吹き入れた時、反対側からその息に抵抗となる空気の流れは存在しなく、音と音がぶつかるだけの構造であるため自然な吹奏感が得られる。【００１１】また第３及び第４の課題解決手段による作用は、楽器を吹奏して出た図１０のアナログの周波数分布音と、マイク２で収集した音を、コンピューター６でこれとは反対のデジタルで人工的に作った図１１の逆位相周波数分布音を図１２のように楽器の出口ベル部分２１内側の１９部分でぶつけ重ね合わせる事で双方の音が相殺減衰するため図１３で示すように消音される。これも音の通る楽器内部を塞ぐ構造物は配設していなく、消音時に楽器に息を吹き入れた時、反対側からその息に抵抗となる空気の流れは存在しなく、音と音がぶつかるだけの構造であるため自然な吹奏感が得られる。
【発明の効果】
【００１２】本発明の消音機は次のような効果を奏する。請求項１及び請求項２．３．４に記載されている発明は、アクティブコントロールと言われている方法で、管楽器を吹奏した時に出る図１０のアナログ周波数分布音と、この反対の図１１のデジタル逆位相周波数分布音の双方を楽器内で図１２に示すようにぶつけて重ね合わせて相殺させその波の強さを弱めることで図１３に示すように消音するものである。これは図１０の一方の波形が山２３及び２５のすなわち空気の密度が高いものに、図１１のもう一方の波形が谷２４及び２６のすなわち空気の密度が粗いものを図１２のように重ね合わせると山２３と谷２４が相殺して、図１３に示すように空気の密度が均一化されて音にならなくなるためである。【００１３】木管楽器では図１のクラリネットバレル１８と図３のサキソフォンネック２０内の楽器音とスピーカー１の音双方が出会う音場１９でスピーカー１の音と楽器を吹奏した音とがすでにぶつかって減衰消音されているために、それより先につながっている部分図７の５の穴や図８の４部分から出た音はすでに小さくなっている。そして音の通る楽器内部を塞ぐ構造物は配設していなく、音と音がぶつかるだけの構造であるため楽器に息を吹き入れた時の吹奏感は消音時でもノーマルの楽器と同じ効果を発揮する。【００１４】金管楽器では図５と図９のベル部分２１内部に配設したスピーカー１の音と楽器を吹奏した音が１９の部分ですでにぶつかって減衰消音されているため、それより外に出た音は小さくなっている。そして図５に配設しているスピーカー１は音の通る楽器内部を塞ぐ構造になっていなく音と音がぶつかるだけの構造であるため楽器に息を吹き入れた時の吹奏感は消音時でも詰まった感覚が無く、ノーマルの楽器を吹奏したのと同じ効果を発揮する。また図５のスピーカーボックス２９部分に既存の音程のズレが低い消音機を重ねて配設すると更に消音効果が上がる。【００１５】本発明の効果は木管楽器のクラリネット、サキソフォン、フルート、尺八、ケーナ等。又金管楽器は図５のベル２１の大きさに応じてスピーカー１の選択と、楽器の全ての音が拾える図９のマウスピース１６からベル２１までの間のＵ字管１４内部にマイクを設けるか叉は図５のスピーカー１に配設した防振ゴムを巻いたマイク２付きロッドアンテナ２８を楽器内部へ伸し音を収集するか、他に楽器の外側の最も振動をしている部分に振動集音マイク３を配説すればすべての金管楽器に効果がある。【００１６】吹奏しながら図３のボリューム７の音量を上げていくとスピーカー１の発生音と楽器から出てくる音が相殺されて楽器の音量が下がる。又ボリュームをゼロにしてスピーカー１の発生音をゼロにすると音は相殺されずノーマルの楽器として使用出来る。【００１７】吹奏者の吹くアナログの正位相周波数分布音がデジタルの逆位相周波数分布音と出会って相殺減衰され小さくなる。この吹奏者の出すアナログ音量に比べてコンピューターのデジタル音量を図３のボリューム７で低く設定すると、双方の音をぶつけ重ね合せた時に消音しきれずアナログ音が楽器の外に出る。この音は各個人所有楽器の固体差や演奏者の個性等を含むアナログの音であり、誰が演奏しても同じ音が出るデジタル楽器の音ではない。【００１８】既存の消音機では消音効果が高いほど音程が不安定であるため、これを付けて金管楽器のトロンボーンを吹奏すると音程を決める右手のスライドの位置が本来と微妙に違うため、この位置を調整しながら正しい音程を出す事になる。そしてポンピングノイズと称してミュートをつけた状態で、息を吹き込まないでスライドを動かした時にシュッという空気が漏れる音が鳴るので練習に集中出来ない。本発明の消音機は、同じ周波数波形音の正と逆双方がぶつかり重なり合って消音するだけの構造なので、上記の煩わしさから解放され練習に集中出来て、本発明の消音機はスピーカーと付属部品数が少ないため軽く出来る。【００１９】演奏時に音を減衰消音する度合いを図４のボリューム７で調整するが、消音効果を上げるにつれて楽器自体の振動が小さくなる。【００２０】吹奏した楽器内で発生した音と息の流れに対して抵抗になる反対からの空気の流れは存在しなく、楽器内のマイクとスピーカーは息の流れの抵抗を受けないように配設しているため、吹奏感覚はすごく自然で従来の楽器と同じある。
【発明を実施するための最良の形態】
【００２１】以下、本発明の実施の形態を図１〜図１２に基づいて説明する。【００２２】図１においては、逆位相周波数波形を出すスピーカー１とマイク２はクラリネットバレル内１８に固着されている、１８はクラリネットバレル、１９は楽器音とスピーカー１の音双方が出会う音場。【００２３】  図２はクラリネットバレルの断面図。【００２４】図３はサキソフォンネック２０のマウスピース１６との接合部分にマイク２及び逆位相周波数波形を出すスピーカー１を設ける。【００２５】図４は本発明の実施形態を示す楽器と制御部の略図で、マイク２とスピーカー１は楽器内に設けたもので、これらと制御部分１７は楽器の外部で繋がっている。【００２６】図５は金管楽器のベル部分２１内にコルク１５を介して装着されたスピーカー１とそれにマイク固定枠３０で固着したマイク支持棒２８の先端にマイク２を設ける。【００２７】図６は金管楽器のベル部分２１を示した断面図であって、スピーカー１に固着したマイク支持棒固定枠３０に伸び縮み出来るマイク支持棒２８とその先端にマイク２を、そしてスピーカー１の後部に音漏れ防止用ボックス２９を設けてコルク１５を介して楽器に装着する。【００２８】図７は木管楽器のクラリネット本体の一部を示した略図であって、吹奏音が５の部分から漏れる。【００２９】図９は金管楽器のＵ字管１４の楽器内にたまった水滴の排出口２７にマイク２叉は楽器外側に振動集音マイク３を設ける。【００３０】図１０は楽器から発生した正位相周波数分布音の略図である。【００３１】図１１はコンピューター６で変換したデジタル逆位相周波数分布音を示した略図である。【００３２】図１２は図１０の楽器から発生した正位相周波数分布音と図１１のコンピューター６で変換したデジタル逆位相周波数分布音を重ねあわせた周波数分布音を示した略図である。【００３３】図１３は図１２で重ね合わせた結果、均一化になり音が消えた周波数分布音を示した略図である。
【実施例１】
【００３４】以下、本発明を図面で参照して実施の形態に基づいて説明する。図４の制御部分１７のコンピューター６は、楽器やマウスピースの固体差及び演奏者の癖等によって吹奏した倍音を含む音を、マイク２及び３で収集してその刻々と変化する図１０の周波数分布音をリアルタイムで高速作動させるプログラムを用いてデジタルシグナルプロセッサーで演算し、反対の図１１の逆位相周波数分布音に変換させる仕事をする。そして図４の増幅アンプ８とボリューム７から１１を通ってこのデジタルの図１１の逆位相周波数分布音を図４及び図５のスピーカー１から再生させて，楽器を吹奏して出たアナログ音の図１０の正位相周波数分布音と図１、図２、図３及び図５の楽器内の１９の部分で図１２のようにぶつかり重なり合わせて双方の音を図１３で示すように相殺減衰させる。なお演奏者が吹奏していない時は図４のマイク２及び図９のマイク３からコンピューター６へ周波数分布音の情報が入らないため、図１、図２、図３、図４及び図５のスピーカー１から音は出ない。
【実施例２】
【００３５】木管楽器のマウスピース１６との接合部分図１の１８及び図３の２０に示すように、この単一指向性防水マイクはハウリング防止するため位相差型マイク２及びデジタルフィルターを用いた電気的キャンセル回路を付加したもので、音がぶつかる音場１９近くにマウスピース方面に向かって音を収集するように配設する。又この方法とは別に壁面振動マイク叉は骨振動集音マイクを楽器外側の最も振動する部分に配設する。このマイク３は楽器の音がぶつかる音場１９近くに配設したものとは違って、スピーカー１からの波動音が直接に入らないためハウリングが減少する、そして楽器から出た各音階の倍音を含む刻々と変化したアナログ周波数分布音の情報がマイク２及び３から図４の１０を通って制御部１７のコンピューター６のデジタルシグナルプロセッサーに入り、デジタルで瞬時に元の音とは反対の逆位相周波数分布音に変換して図４の増幅アンプ８とボリューム７から１１を通って図１、図３及び図４のスピーカー１でこの図１１の逆位相周波数分布音を再生させ、楽器を吹奏して出た図１０のアナログ音の正位相周波数分布音と楽器内で図１２のようにぶつかり重なり合わさって双方の音を図１３で示すように相殺減衰させる。この時演奏者が発する息の多い少ない、すなわち強く吹くか弱く吹くかによって楽器の音量とスピーカー１の双方音量は同時に上下する、そしてこれとは別系統で演奏者が吹奏中任意に図４制御部１７内のボリューム７を操作してスピーカー１だけの音量設定を決められるようにする。このボリューム７の操作を最低に設定するとスピーカー１から音は出ないため、楽器から発生したアナログ音はぶつかり重なり合わさる相手とは出会わなく相殺減衰しないので、そのままの音量で楽器から出る。この設定で演奏者はノーマルの楽器として使用出来る。従って演奏者はボリューム７を操作することで吹奏する時の様々な場所や環境に合わせて楽器の消音度合いを好みに設定して音を出す事が可能になる。
【実施例３】
【００３６】マイク２の役割は２種類あって音の強弱と周波数を検知するが、図１のクラリネットバレル１８のようにマイク２とスピーカー１が接近しているとハウリングを誘発しやすいため先ずヤマハ製叉はアイワ製のプレスコントローラーを図１のマイク２の場所にマイクの代わりに設置する、このブレスコントローラーの役割は息の強弱や音の強弱を検知するセンサー機能があってハウリングを誘発しない。次に壁面叉は骨振動集音マイク３を楽器外側の振動の大きい場所に設け楽器の周波数分布音を検知させる。それぞれの音の強弱や周波数分布音の情報を図４の１０から制御部１７に入ってデジタルの逆位相周波数分布音へ瞬時に変換して１１を通ってスピーカー１から再生させ、吹奏音とぶつけ重ね合して相殺減衰する。
【実施例４】
【００３７】金管楽器を消音する実施例は図８のトランペットを３例で説明すると、先ず図５ベル部分２１にスピーカー１の音が出る方向に伸び縮みするマイクロフォン支持棒２８を配設して、この先端にハウリング防止単一指向性防水マイク２を防振ゴムで巻いて楽器内部へ向けて伸して設ける。二番目に音程を調節するＵ字管１４にある吹奏中楽器内にたまった水滴を排出する穴２７部分に付いているコルク内に防水マイク２を配設して、ベル部分２１にはスピーカーボックス２９を固着したスピーカー１をコルク１５で介して装着する。そして三番目では壁面叉は骨振動集音マイク３を楽器外側の最も振動している部分に設け、ベル部分２１にはスピーカーボックス２９を固着したスピーカー１をコルク１５で介して装着する。この３例のマイクで収集した音は、図４の１０から制御部１７に入ってデジタルの逆位相周波数分布音へ瞬時に変換して１１を通ってスピーカー１から再生させ、１９の音場で吹奏音とぶつけ重ね合せて相殺減衰する。
【実施例５】
【００３８】図３、図５及び図６のベル部分のスピーカー１の裏側には音が漏れると消音効果がなくなるため音が出ないようにスピーカーボックス２９を配設する。
【実施例６】
【００３９】スピーカー１に使うアクチュエータ部のボイスコイルをピエゾ素子に置き換えることで振動板とそれを駆動する部分を切り離し、振動板は様々の材質や形状の物で音が出せるため図１図３及び図８で示すように音を出すスピーカー１の振動部分を最良の効果が出る形状や材質で選定できる。例えば印刷技術を使ったフィルムスピーカーで楽器の音程や音質が安定させるため音が通る管の形状の一部分としてこの振動板を置き換えるようにする
【実施例７】
【００４０】図１のクラリネットバレル１８の形状は円筒形なのでスピーカー１を設置するのが難しい、そこで楽器の音程や音質がノーマルの楽器と変わらなければこの部分を三角、四角や他の形状等にしてスピーカーの設置をし易くする。
【実施例８】
【００４１】使い慣れた個人所有の楽器を出来るだけそのまま使用できるように木管楽器ではクラリネットバレル１８及びサキソフォンネック２０を本発明品に替える。  そして金管楽器では実施例３で示した３例の中の一つを選択してマイクとスピーカーを設けて使用する。
【実施例９】
【００４２】各管楽器によって管の太さ及び長さと吹奏音を収集するマイクの位置がそれぞれ違うため、吹奏音が楽器の図１、図３、及び図５の１９の音場に到達する時間と、スピーカー１が再生する１９の音場で音が出会う時間的な遅延が発生する。そしてマイクで集音した周波数分布音をコンピューターで逆位相周波数分布音に変換処理する時間の遅延も考慮して、吹奏音図１０の周波数分布音とスピーカー図１１の逆位相周波数分布音双方が楽器内の１９の音場で図１２のように完璧に上下対象で合致してぶつかり重なり合わさるように、各楽器に合わせて制御部１７側で微かに時間を調整して出力するようにする。
【実施例１０】
【００４３】それぞれの管楽器は最高音から最低音の出せる音域幅が異なるため、各音域周波数特性に合わせてマイク２、マイク３、スピーカー１及びコンピューター６のデジタルシグナルプロセッサーの演算プログラムを検討するようにする。
【実施例１１】
【００４４】楽器から出た音のピッチ周波数を測定する電子チューナー及び曲のテンポを導く電子メトロノームを図４の制御部分１７に付加すると、演奏者は使い勝手が良くなる。
【実施例１２】
【００４５】図４で示すように、吹奏した曲をマイク２で集音して制御部１７でデジタル録音してスピーカー１から再生させ、それに合わせて二重奏出来るようにすると練習効果が上がる
【実施例１３】
【００４６】電源を入れたまま一定時間以上楽器から離れて音を出さずにいると自動的に電源が切れるようにすると電池が長もちする。
【図面の簡単な説明】
【００４７】
【図１】  請求項１の実施形態を示したクラリネットバレルの斜視断面図である。
【図２】  請求項１の実施形態を示したクラリネットバレルの断面図である。
【図３】  請求項１の実施形態を示したサキソフォンネックの斜視図である。
【図４】  請求項１及び２の実施形態を示した楽器と制御部分の略図である。
【図５】  金管楽器のベル部分を示した斜視図である。
【図６】  金管楽器のベル部分を示した断面図である。
【図７】  クラリネット本体の一部を示した略図である。
【図８】  サキソフォン本体を示した略図である。
【図９】  トランペット本体を示した略図である。
【図１０】  楽器から出たアナログ周波数分布音を示した略図である。
【図１１】  コンピューター６で変換したデジタル逆位相周波数分布音を示した略図である。
【図１２】  図９と図１０の音を重ねあわせた周波数分布音を示した略図である。
【図１３】  均一化になり音が消えた周波数分布音を示した略図である。
【符号の説明】
【００４８】  １    スピーカー
２    集音マイクロフォン
３    壁面叉は骨振動集音マイクロフォン
４    サキソフォンのベル部分
５    指で穴を塞ぐ部分
６    コンピューター
７    ボリューム
８    増幅アンプ
９    電池
１０    マイクから制御部へ送られるアナログの周波数分布音の通路
１１    制御部からスピーカーへ送られるデジタルの逆位相周波数分布音の通路
１２    スピーカーの音が出る場所
１３    楽器の音が大きくなる場所
１４    Ｕ字管
１５    コルク
１６    マウスピース
１７    制御部
１８    クラリネットバレル
１９    楽器音とスピーカー１の音双方が出会う音場
２０    サキソフォンネック
２１    金管楽器のベル部分
２２    ピストンバルブ
２３    波形の山の部分
２４    波形の谷の部分
２５    空気の密度が濃い部分
２６    空気の密度が粗い部分
２７    楽器内にたまった水滴の排出口
２８    マイクロフォン支持棒
２９    スピーカーボックス
３０    マイクロフォン支持棒固定枠
【図１】
2005122099.tif 000003
【図２】
2005122099.tif 000004
【図３】
2005122099.tif 000005
【図４】
2005122099.tif 000006
【図５】
2005122099.tif 000007
【図６】
2005122099.tif 000008
【図７】
2005122099.tif 000009
【図８】
2005122099.tif 000010
【図９】
2005122099.tif 000011
【図１０】
2005122099.tif 000012
【図１１】
2005122099.tif 000013
【図１２】
2005122099.tif 000014
【図１３】
2005122099.tif 000015